(57)【特許請求の範囲】
【請求項１】
原稿が載積されるペーパーガイドと、該ペーパーガイド上の原稿に当接する繰込ローラと、該繰込ローラによって繰り込まれた原稿を次工程に給紙する送りローラと、送りローラに相対向する位置に設けられた分離ローラとを備え、前記ペーパーガイド上の原稿を前記送りローラ及び前記分離ローラに向けて繰り出す給紙装置において、
前記ペーパーガイドの前記分離ローラ近傍に設けられ、該ペーパーガイド上の原稿の先端部を上方に付勢しつつ支持する付勢手段を設け、
該付勢手段は、前記ペーパーガイド上に載積される原稿量に応じて、該原稿の先端部を支持する高さが変化することを特徴とする給紙装置。
【請求項２】
前記付勢手段は、ペーパーガイドの前記分離ローラ近傍に設けられた板ばねであることを特徴とする請求項１記載の給紙装置。
【発明の詳細な説明】
【０００１】
【発明の属する技術分野】
本発明は、給紙装置に関し、特に、ファクシミリ装置や複写機等に使用される給紙装置に関する。
【０００２】
【従来の技術】
従来のファクシミリ装置や複写機等に付設されている給紙装置は、図４に示すように、ペーパーガイド６上の原稿１０を繰込ローラ２によって矢印Ｘ方向に繰り込み、送りローラ３によって次工程に原稿１０を給紙し、分離ローラ４で原稿１０を分離するように構成されている。ここで、原稿１０のセット枚数を多くするため、分離ローラ４の手前のペーパーガイド６と分離ローラ４の後方のペーパーガイド１１とに大きな段差を設ける必要があった。
【０００３】
ペーパーガイド６とペーパーガイド１１との段差によって、図４及び図５に示すように、最大枚数と１枚の用紙をセットした場合とでは、原稿１０が送りローラ３と分離ローラ４に進入する方向が変化し、原稿１０が少なくなるにつれて原稿１０が分離ローラ４の表面に垂直な方向で当たることとなる。その結果、原稿１０の先端に図６に示すような折れ部分１０ａが発生していた。
【０００４】
この原稿１０の先端の折れを防止するため、従来、図７に示すように、移動トレー２１を矢印Ｙ方向に移動可能に設け、ペーパーガイド６の上の原稿１０の枚数が少なくなっても、移動トレー２１を持ち上げることにより、原稿１０を分離ローラ４の接線方向に向かって進入させて対処していた。
【０００５】
【発明が解決しようとする課題】
しかし、上記従来の給紙装置においては、自動持上機構を伴う移動トレー２１を備えるため、構造が複雑化し、部品コストが増加するとともに、生産性及び保守性が低下するという問題があった。
【０００６】
そこで、本発明は上記従来の給紙装置における問題点に鑑みてなされたものであって、原稿の先端部を損傷させることなく、部品コストを低く抑え、生産性及び保守性の良い給紙装置を提供することを目的とする。
【０００７】
【課題を解決するための手段】
上記目的を達成するため、請求項１記載の発明は、原稿が載積されるペーパーガイドと、該ペーパーガイド上の原稿に当接する繰込ローラと、該繰込ローラによって繰り込まれた原稿を次工程に給紙する送りローラと、送りローラに相対向する位置に設けられた分離ローラとを備え、前記ペーパーガイド上の原稿を前記送りローラ及び前記分離ローラに向けて繰り出す給紙装置において、前記ペーパーガイドの前記分離ローラ近傍に設けられ、該ペーパーガイド上の原稿の先端部を上方に付勢しつつ支持する付勢手段を設け、該付勢手段は、前記ペーパーガイド上に載積される原稿量に応じて、該原稿の先端部を支持する高さが変化することを特徴とする。
【０００８】
そして、請求項１記載の発明によれば、付勢手段によって、ペーパーガイド上の原稿を上方に付勢するため、原稿の先端部を損傷させることがない。
【０００９】
請求項２記載の発明は、請求項１記載の給紙装置の好ましい一形態として、前記付勢手段は、ペーパーガイドの前記分離ローラ近傍に設けられた板ばねであることを特徴とする。
【００１０】
そして、請求項２記載の発明によれば、ペーパーガイドの分離ローラ近傍に設けた板ばねを付勢手段としたので、原稿の先端部の損傷を防止するとともに、部品コストを低く抑えることができ、生産性及び保守性の良い給紙装置を提供することができる。
【００１１】
【発明の実施の形態】
次に、本発明にかかる給紙装置の実施の形態の具体例を図面を参照しながら説明する。
【００１２】
図１及び図２は、本発明にかかる給紙装置の一実施例を示し、この給紙装置１は、ペーパーガイド６上に載積された原稿１０を繰り込む繰込ローラ２と、原稿１０を次工程に給紙する送りローラ３と、原稿１０を分離する分離ローラ４と、原稿１０を持ち上げるためペーパーガイド６の分離ローラ４近傍に設けられた付勢手段としてのジャンプシート５とで構成される。板ばね状に形成されたジャンプシート５は、図２に示すように、ペーパーガイド６の左右に２つ配置される。
【００１３】
次に、上記構成を有する給紙装置１の動作について説明する。
【００１４】
図３に示すように、ペーパーガイド６に最大枚数の原稿１０を載積すると、ジャンプシート５は、原稿１０の重量によってペーパーガイド６の下に沈み込み、原稿１０のセット可能な最大枚数を減らすことはない。そして、従来と同様に、ペーパーガイド６上の原稿１０を繰込ローラ２によって繰り込み、送りローラ３によって次工程に原稿１０を給紙し、分離ローラ４で原稿１０を分離する。ここで、原稿１０は、分離ローラ４の接線方向に送られているため、原稿１０の先端に折れ部分が発生することもない。
【００１５】
原稿１０を次工程に給紙し続け、ペーパーガイド６上の原稿１０の枚数が少なくなるにつれて、ジャンプシート５が除々に原稿１０を持ち上げ、分離ローラ４に垂直に当たることを回避して、原稿１０の先端の折れを防止する。
【００１６】
例えば、ペーパーガイド６上の原稿１０が１枚となった場合でも、図１に示すように、繰込ローラ２によって繰り込まれた原稿１０は、分離ローラ４の手前に配置した２つのジャンプシート５に沿って進行し、分離ローラ４の接線方向に送られて分離ローラ４に対して垂直に当たることが回避される。これによって、従来のような原稿１０の先端の折れ部分の発生を防止することができる。
【００１７】
【発明の効果】
以上説明したように、本発明によれば、原稿の先端部を損傷させることなく、部品コストを低く抑えることができ、生産性及び保守性の良い給紙装置を提供することができる。
【図面の簡単な説明】
【図１】本発明にかかる給紙装置の一実施例を示す断面図である。
【図２】図１の給紙装置を示す斜視図である。
【図３】図１の給紙装置の動作を説明するための断面図である。
【図４】従来の給紙装置の一例を示す断面図である。
【図５】図４の給紙装置の動作を説明するための断面図である。
【図６】図４の給紙装置によって発生した原稿先端部の折れを示す平面図である。
【図７】従来の給紙装置のもう一つの例を示す断面図である。
【符号の説明】
１     給紙装置
２     繰込ローラ
３     送りローラ
４     分離ローラ
５     ジャンプシート
６     ペーパーガイド
１０   原稿
１１   ペーパーガイド
【図１】
0004516701.tif 000002
【図２】
0004516701.tif 000003
【図３】
0004516701.tif 000004
【図４】
0004516701.tif 000005
【図５】
0004516701.tif 000006
【図６】
0004516701.tif 000007
【図７】
0004516701.tif 000008